(57)【要約】アセットパッケージを提供する方法、媒体、および機器を提供する。ある実施例では、アセットパッケージをポータブル機器に配信する方法が提供される。この方法は、ポータブル機器を識別するステップと、ポータブル機器に対応するアセットおよびアセットパッケージを識別するステップと、アセットとアセットパッケージに対応するアセット定義とをポータブル機器へ転送するステップとを有する。ある実施例では、ポータブル機器上でアセットパッケージを提示する方法が提供される。この方法は、ポータブル機器を識別するための情報を提供するステップと、ポータブル機器に対応するアセットとアセット定義とを受信するステップと、アセット定義に従ってアセットを提示するステップを有する。
2010526370.tif 000002
【特許請求の範囲】
【請求項１】
ポータブル機器でアセットパッケージを配信する方法であって、
前記ポータブル機器を識別するステップと、
前記ポータブル機器および前記アセットパッケージに対応するアセットを識別するステップと、
前記アセットと前記アセットパッケージに対応するアセット定義とを前記ポータブル機器に転送するステップとを有する方法。
【請求項２】
ポータブル機器上でアセットパッケージを提示する方法であって、
前記ポータブル機器を識別するための情報を提供するステップと、
前記ポータブル機器に対応するアセットとアセット定義とを受信するステップと、
前記アセット定義に従って前記アセットを提示するステップとを有する方法。
【請求項３】
前記アセット定義と前記アセットパッケージの少なくとも一部とをコンピュータに転送するステップをさらに有する、請求項２に記載の方法。
【請求項４】
前記コンピュータはパーソナルコンピュータである、請求項３に記載の方法。
【請求項５】
前記コンピュータはゲーム機である、請求項３に記載の方法。
【請求項６】
前記アセットは、着信メロディ、着信ビデオ、壁紙、音楽、アーティスト人物紹介、歌詞、画像、クーポン、アルバムリスト、他のアーティストのリスト、および、ビデオの何れか１つである、請求項２に記載の方法。
【請求項７】
ユーザーが、アセットを追加するためにサインアップすること、コンサートチケットを購入すること、または、コンテストに出場申込をすることを可能にするインターフェースを提供するステップをさらに有する、請求項２に記載の方法。
【請求項８】
コンピュータ上でアセットパッケージを提示する方法であって、
ポータブル機器からアセット定義を含む前記アセットパッケージを前記コンピュータにて受信するステップと、
前記コンピュータに対応するように前記アセットパッケージを修正するステップと、
前記アセット定義中で指示されたアセットを提示するステップとを有する方法。
【請求項９】
前記アセットパッケージを修正するステップは、サーバーから前記アセットを前記コンピュータにて受信するステップを含む、請求項８に記載の方法。
【請求項１０】
前記アセットパッケージを修正するステップは、データベースから前記アセットを前記コンピュータにて受信するステップを含む、請求項８に記載の方法。
【請求項１１】
前記アセットパッケージを修正するステップは、前記アセットが前記ポータブル機器上で提示されないとき、前記コンピュータ上で提示されるよう前記アセットを選択するステップを含む、請求項８に記載の方法。
【請求項１２】
前記アセットパッケージを修正するステップは、前記アセットを修正するステップを含む、請求項８に記載の方法。
【請求項１３】
前記コンピュータはパーソナルコンピュータである、請求項８に記載の方法。
【請求項１４】
前記コンピュータはゲーム機である、請求項８に記載の方法。
【請求項１５】
ポータブル機器であって、
インターフェースと、
前記インターフェースに結合された処理装置とを備え、
前記処理装置は、前記ポータブル機器を識別するための情報を前記インターフェースに提供し、前記ポータブル機器に対応するアセットおよびアセット定義を受信し、前記アセット定義に従って前記アセットを提示する、ポータブル機器。
【請求項１６】
前記処理装置は、前記アセット定義と前記アセットパッケージの少なくとも一部をコンピュータに転送する、請求項１５に記載のポータブル機器。
【請求項１７】
前記コンピュータはパーソナルコンピュータである、請求項１６に記載のポータブル機器。
【請求項１８】
前記コンピュータはゲーム機である、請求項１６に記載のポータブル機器。
【請求項１９】
前記アセットは、着信メロディ、ビデオ着信、壁紙、音楽、アーティスト人物紹介、歌詞、画像、クーポン、アルバムリスト、他のアーティストのリスト、および、ビデオの何れか１つである、請求項１５に記載のポータブル機器。
【請求項２０】
前記処理装置は、インターフェースに、ユーザーが、アセットを追加するためにサインアップすること、コンサートチケットを購入すること、または、コンテストに出場申込をすることを可能にさせる、請求項１５に記載のポータブル機器。
【請求項２１】
処理装置によって実行されると、コンピュータ上でアセットパッケージを提示する方法を前記処理装置に実行させるコンピュータ実行可能命令を含むコンピュータ読み取り可能記憶媒体であって、前記方法は、
ポータブル機器からアセット定義を含むアセットパッケージを前記コンピュータにて受信するステップと、
前記コンピュータに対応するように前記アセットパッケージを修正するステップと、
前記アセット定義に指示されたアセットを提示するステップとを備える、コンピュータ読み取り可能記憶媒体。
【請求項２２】
前記アセットパッケージを修正するステップは、サーバーから前記コンピュータで前記アセットを受信するステップを含む、請求項２１に記載のコンピュータ読み取り可能記憶媒体。
【請求項２３】
前記アセットパッケージを修正するステップは、前記アセットが前記ポータブル機器で提示されないとき、前記コンピュータ上で提示されるよう前記アセットを選択するステップを含む、請求項２１に記載のコンピュータ読み取り可能記憶媒体。
【請求項２４】
前記アセットパッケージを修正するステップは、前記アセットを修正するステップを含む、請求項２１に記載のコンピュータ読み取り可能記憶媒体。
【請求項２５】
前記コンピュータはパーソナルコンピュータである、請求項２１に記載のコンピュータ読み取り可能記憶媒体。
【発明の詳細な説明】
【技術分野】
【０００１】
本発明は、ポータブル機器にアセットパッケージを提供するための方法、媒体、および装置に関する。
【背景技術】
【０００２】
［関連出願の参照］
本出願は、２００７年４月２６日に出願された米国仮特許出願（出願番号６０／９２６，６０８）、及び２００７年１０月２４日に出願された米国特許出願（出願番号１１／９２３，３６８）の利益を主張し、ここに参照することにより各々の全体を援用する。
【０００３】
例えば携帯電話、ポケットコンピュータ、ＰＤＡ等のポータブル機器は、マルチメディアコンテンツをユーザーに提示する能力を近年目覚しく発展させて来た。例えば多くの携帯電話が、着信をユーザーに知らせるための伝統的「着信音」のみならず、（一般に「着信メロディ」と呼ばれる）音楽を再生することができる。別の例では、多くのポータブル機器は、写真や動画のみならず他の画像を表示するのみならず、写真および動画を撮影することができる。
【０００４】
例えば音楽アーティスト等のマルチメディアリッチコンテンツの提供者は、大衆に幅広い支持者を持ち、大衆が求めるコンテンツの幅広い品揃えを提供する。例えば、音楽アーティストは、楽曲、ミュージックビデオ、写真、歌詞、スケッチ、ニュース、および他のコンテンツの幅広い品種を作り出すことができる。
【０００５】
しかしながら、かかる提供者からのコンテンツにアクセスすることは、一般的ユーザーにとって困難であり得る。例えば、音楽はある発信元から取得しなければならず、画像は別の発信元からであり、ニュースはさらに別の発信元から等となる。
【発明の概要】
【発明が解決しようとする課題】
【０００６】
アセットパッケージを提供するための方法、媒体、および機器を提供する。
【課題を解決するための手段】
【０００７】
ある実施例では、アセットパッケージをポータブル機器へ配信する方法が提供される。この方法は、ポータブル機器を識別し、当該ポータブル機器およびアセットパッケージに対応したアセットを識別し、当該アセットと当該アセットパッケージに対応したアセット定義とを当該ポータブル機器へ転送することを有する。
【０００８】
ある実施例では、ポータブル機器上でアセットパッケージを提示する方法が提供される。この方法は、ポータブル機器を識別するための情報を提供し、ポータブル機器に対応したアセットと当該アセット定義とを受信し、当該アセット定義にしたがって当該アセットを提示することを備える。
【０００９】
ある実施例では、コンピュータ上でアセットパッケージを提示する方法が提供される。この方法は、コンピュータにおいてポータブル機器からアセット定義を含むアセットパッケージを受信し、コンピュータに対応するようアセットパッケージを修正し、アセット定義に示されるアセットを提示することを有する。
【００１０】
ある実施例では、ポータブル機器が提供される。このポータブル機器は、インターフェースと当該インターフェースに結合した処理装置を備え、この処理装置はポータブル機器を識別するための情報をインターフェースへ提供し、ポータブル機器に対応するアセットと当該アセット定義を受信し、アセット定義にしたがってアセットを提示する。
【００１１】
ある実施例では、コンピュータ読み取り可能記憶媒体が提供される。このコンピュータ読み取り可能記憶媒体は、処理装置によって実行されるときに、コンピュータ上のアセットパッケージを提示するための方法を処理装置に実行させるコンピュータ実行可能命令を含む。当該方法は、コンピュータのポータブル機器からアセット定義を含むアセットパッケージを受信し、コンピュータに対応するようアセットパッケージを修正し、アセット定義に示されるアセットを提示することを有する。
【図面の簡単な説明】
【００１２】
【図１Ａ】実施例に従って、ポータブル機器の様々なクラスで利用されうるアセットパッケージのアセットを決定するのに用いられ得る表を説明する図である。
【図１Ｂ】実施例に従って、ポータブル機器の様々なクラスで利用されうるアセットパッケージのアセットを決定するのに用いられ得る表を説明する図である。
【図２】実施例に従って、ソフトウェア、ポータブル機器、およびポータブル機器のクラスのバージョン間の関係を示すのに用いられ得る表を説明する図である。
【図３Ａ】実施例に従って、アセットのコピーを保存するのに用いられ得るデータ構造を説明する図である。
【図３Ｂ】実施例に従って、アセットのコピーを保存するのに用いられ得るデータ構造を説明する図である。
【図４】実施例に従って、アセットパッケージを選択するためのファイルシステムインターフェースを説明する図である。
【図５】実施例に従って、アルバムカバーを示す図４のファイルシステムインターフェースを説明する図である。
【図６】実施例に従って、メインメニューを説明する図である。
【図７】実施例に従って、メディアプレーヤーを説明する図である。
【図８】実施例に従って、アセットパッケージを選択するのに用いるメディアプレーヤーを説明する図である。
【図９】実施例に従って、アニメーションシーケンスを説明する図である。
【図１０】実施例に従って、メインメニュー用のテンプレートを説明する図である。
【図１１】実施例に従って、着信メロディのテンプレートおよびそのテンプレートの応用例を説明する図である。
【図１２】実施例に従って、壁紙のテンプレートおよびそのテンプレートを応用例の説明する図である。
【図１３】実施例に従って、着信ビデオのテンプレートおよびそのテンプレートの応用例を説明する図である。
【図１４】実施例に従って、歌詞のテンプレートを説明する図である。
【図１５】実施例に従って、モバイルサインアップのテンプレートを説明する図である。
【図１６】実施例に従って、舞台裏インターフェースのテンプレートを説明する図である。
【図１７】実施例に従って、曲を再生するためのテンプレートを説明する図である。
【図１８】実施例に従ったシステムのブロック図である。
【発明を実施するための形態】
【００１３】
以下の説明は、多くの特定な詳細を含む。これらの詳細は、説明を目的とするためだけであり、本発明を限定するものではないと理解するべきである。さらに、本発明の主題を複雑にするのを避けるために、当技術分野において周知であるいくつかの特徴については、その詳細な説明をしないものとする。加えて、一実施例における特徴は、本発明の他の実施例における特徴と組み合わせることができる。
【００１４】
ポータブル機器にアセットパッケージ（ＥＰで参照する）を提供するための方法、媒体、および機器が提供される。アセットの例としては、ビデオクリップ、オーディオクリップ（例えば音楽）、写真、アニメーション、着信メロディ、歌詞、アイコン（例えばインスタントメッセンジャーのアイコン）、テキスト、アバター、壁紙、スクリーンセーバー、ゲーム、リミックスアプリケーション（例えば、着信メロディエディッタ、ユーザーがオーディオのカスタムミキシングを作成することができる、リミックス可能な、および／または、マルチトラックのオーディオファイル（Ｕ−ＭＹＸファイル）等）、スキン、ＲＳＳフィード、ＸＭＬドキュメント、および他の如何なる適切なテキストベース、画像ベース、ビデオベース、および／または、オーディオベースのコンテンツ、および／または、他の如何なる個人化製品を含む。ある実施例では、２つの異なるアセットが、同じコンテンツ（例えば、歌、ビデオ、画像等）であるが異なるフォーマット（例えば、１つはサンプリングレートが６４ｋｐｂｓでデジタル化され、もう１つはサンプリングレートが１２８ｋｐｂｓでデジタル化される、あるいは、１つはＷＡＶファイルフォーマットであり、もう１つはＭＰ３ファイルフォーマットである等）を収容することができる。つまり、２つの異なるアセットが、同じコンテンツの異なるバージョンとなり得る。アセットパッケージを配信するのに用いることができるポータブル機器の例は、携帯電話、ポータブル音楽・動画プレーヤー、ポータブルゲーム機、携帯情報端末（ＰＤＡ）、ポータブルナビゲーションユニット、ポケットコンピュータ、ラップトップコンピュータ、スマートフォン、ポータブル電子メール機器（例えばＲＩＭ  Ｂｌａｃｋｂｅｒｒｙ（登録商標））、自動車ナビゲーションシステム、自動車エンターテイメントシステム、および、テキストベース、画像ベース、ビデオベース、および／または、オーディオベースのコンテンツを提供するために適した如何なる他の携帯型電子機器を含む。ある実施例では、アセットパッケージは、一人のアーティストまたはアーティストグループについての種々のメディアタイプ、映画またはテレビプログラム、および／または、他のコンテンツプロバイダーを含み得る。
【００１５】
ある実施例では、ポータブル機器に適切なマルチメディアアセットを提供するために、ユーザーが利用するポータブル機器のクラスを特定し、そのポータブル機器用の適切なアセットパッケージを作り出すためのメカニズムが提供される。このパッケージは、機器のクラスのために選択され設定（例えば、大きさ、エンコード等）された異なるコンポーネントを含むことができる。
【００１６】
ある実施例では、各アセットパッケージについての設定オプションを保存するために、２次元データ構造（例えば、表、スプレッドシート等）を用いることができる。例えば、図１Ａおよび図１Ｂに示されるように、第１の設定オプション表１００を、第１のアセットパッケージ（ＥＰ１）のための設定オプションを保存するために用いることができ、第２の設定オプション表１０２を、第２のアセットパッケージ（ＥＰ２）のための設定オプションを保存するために用いることができる。
【００１７】
上記の表中の行１０４は、特定のアセットパッケージの一部として提供することのできる可能アセット（アセット１、アセット２、アセット３、・・・、アセットＮ）に対応させることができる。（例えば、新しいアセットが利用可能になる、または既存のものが一般的ではなくなるという理由で）可能アセットが変化するにつれて、新しい行が表に追加され、および／または、古い行が削除される。上記の表中の列１０６は、アセットパッケージを受信することができる機器の様々なクラスに対応させることができる（例えば、ポータブルクラス１、ポータブルクラス２、ポータブルクラス３、・・・、ポータブルクラスＮ）。ポータブルクラスは、機器の複数種類、および／または、様々な機器で実行する同じソフトウェアの複数種類（例えば、オペレーションシステム、アプリケーションソフトウェア等）を含み得る。ある実施例では、ポータブルクラスは、１つの機器のみを含み得る。（例えば、新しいクラスが開発され、または従来のクラスがもはや利用されないという理由で）可能ポータブルクラスが変化するにつれて、新しい列が表に追加され、および／または、古い列が削除される。
【００１８】
図２に示すように、１つ以上のポータブルクラス表２００において、ポータブルクラス、機器の種類、および／または、ソフトウェアのバージョンの間の関係を反映することができる。図に示すように、図２の表における各行２０２はソフトウェアの特定バージョンまたは一部に対応させることができ、各列２０４は機器の特定種類に対応させることができる。行と列とが交差するセル２０６は、その組み合わせについてのポータブルクラスを反映することができる。図示するように、各セルはポータブルクラスＸを含み、当該セルが適切なクラス指定を含むとすることができること、および各セルが、１つ以上の他のセルとして同じまたは異なるクラス指定を有することができることを反映する。ある実施例では、ソフトウェアのバージョンと機器の種類との組み合わせが無効あるいはサポートされていないことを表現するために、ポータブルクラスのある種の指定を用いることができる。
【００１９】
図１Ａおよび図１Ｂに戻り説明する。設定オプション表の行と列との交点にある入力１０８は、対応する列の特定ポータブルクラスについて対応する行のアセットが利用可能であるかを示すために用いることができる。例えば、特定のポータブルクラスにて特定のアセットが利用可能（例えば、「Ａ」（または他の適切な指標）を収容する）または利用不可能例えば、「Ｎ／Ａ」（または他の適切な指標）を収容する）であることを示すためにセルを用いることができる。例えば、アセットによって規定される特定のゲームを実行するために適切な処理能力を機器が有さないという理由で、アセットは利用不可能となり得る。アセットを利用可能であることを示すＡ（または他の指標）を収容する代わりに、アセットのために適切な品質レベルをその機器のクラスについてセルが示すことができる。上記指標は、ポータブル機器についてのアセットを選択するのを助けることができる。例えば、ビデオコンテンツの品質（および／または、如何なる他の適切な特性）を、特定のポータブル機器のクラスの表示部の大きさおよび解像度に対応させるために選択することができる。別の例では、オーディオコンテンツアセットの品質を、ポータブル機器のクラスに実装されているデジタル著作権管理（ＤＲＭ）技術に基づいて選択することができる（例えば、機器クラスがオープンモバイルアプライアンス（ＯＭＡ）規格１．０の前方ロックのみを有する場合、他のＤＲＭ技術に対してオーディオサンプリングレベルを著しく減少させて全曲を配信するのみとすることができる）。
【００２０】
ある実施例では、アセットパッケージについてのコンテンツの各ピースの“マスター”バージョンを、適切な如何なる記憶装置に保存することが可能である。例えば、図３Ａに示されるように、様々な品質（例えば、ビデオコンテンツについて様々なスクリーンサイズ／解像度、オーディオコンテンツについてはサンプリングレベル等）におけるコンテンツの様々な部分のコピー３０１を、アセットパッケージ毎に２次元構造３００で保管することができる。
【００２１】
あるいは、別の例として図３Ｂに示されるように、品質が相対的に高いコンテンツの部分の１つのコピー３０４，３０６，３０８，３１０を、アセットパッケージ毎に１次元構造で保管することができる。上記実施例の、瞬間性能および処理能力に影響しうるが、例えば配信の時に、このコピーを、アセットとして配信するために適切な品質レベルに符号化するまたはトランスコードすることができる。別の例として、トランスコードのステップを追加することなく、低品質バージョンを簡単に「抽出する」ことができる仕組みを用いて、コンテンツの一部を高品質で保管することができる符号化技術を追加的にあるいは代わりに用いることができる。ＭＰＥＧ−ＳＬＳ規格は、オーディオについての上記のような技術の例である。
【００２２】
与えられた機器のクラスを識別するパラメータを当該装置が提供して、配信できるアセットを決定するのを手助けすることができる。このパラメータを提供するために適切な機構を用いることができる。例えば、この機器のクラスパラメータを、機器に無線結合したサーバーによる機器の自動ポーリングに応答して、ＷＡＰ環境変数として提供することができる。ある実施例では、提供されていることをユーザーが気付かないうちに、当該パラメータを提供することができる。アセットパッケージのリクエストがなされた時点で、なされる前に、またはなされる後に、このパラメータを提供することもできる。リクエストがなされるより前に、特定機器クラスに利用可能アセットを売り出すために、当該パラメータを用いることができる。
【００２３】
追加的にまたはその代わりに、機器の特性を規定するパラメータを、配信できるアセットを決定することおよび／または（例えば、新しい機器に対して）機器のクラスを規定することに用いることができる。上記の特性は、スクリーンサイズ、サポートするコーデック、ビデオ解像度、オーディオサンプリングレート、カラーパレット、接続タイプ（例えば、プロトコル、速度等）、利用可能フォント、機器の場所（例えば、米国、英国等）、画像フォーマット（例えば、ＪＰＥＧ、ビットマップ等）、ソフトウェアタイプ（例えば、バージョン、言語、ブランド等）、ハードウェアタイプ（例えば、プロセッサの処理能力、利用可能記憶装置等）、および／または、如何なる他の適切な特性を含むことができる。機器のクラスを規定する際に、図１Ａ、図１Ｂ、および図２に示されるような表を、機器のクラスを反映するために変更するとことができる。
【００２４】
予めアセットをパッケージングしておき、そして、機器によるアセットパッケージのリクエストに応答して配信することができる。機器によるアセットパッケージのリクエストに応答して、（例えば、受注処理プロセスの一部としてリアルタイムで）パッケージングすることもできる。
【００２５】
アセットパッケージを機器に転送するとき、アセットパッケージは、当該アセットパッケージ中のアセット定義を含むか、伴うかして、または構成することができる。アセット定義を提供するために、如何なる適切な機構を用いることができる。例えば、アセットパッケージのアセットをリストするために表を用いることができる。別の例では、命令セット（例えば、スクリプトまたはプログラム）を、アセットを定義するために用いることができる。この定義は、アセットの中のコンテンツが何か、各種アセットがユーザーにどのように提示されるか、アセット間の相互作用がどのように起こるか、アセット定義の保有者が１つ以上の特定機器を有しているか、または、一人以上のユーザーが特定のアセットまたはコンテンツにアクセスする認証を有しているかを規定する。例えば、図６および図９から図１７に示されるように、メニュー構造、ユーザーインターフェース、および／または、メニューテンプレートをアセット定義によって規定することができる。
【００２６】
ある実施例によれば、その機器クラスにとって利用可能なアセットに基づいて、特定の機器用にカスタマイズされたインターフェース（例えば、スキン）を自動的に作成することができる。このようにして、そのバンドルおよび機器クラスに関連するアセットのみを選ぶメニューを機器に提示することができる。
【００２７】
ある実施例では、ユーザーが各自の機器の要素を個人仕様にすることができる。例えば、メニューまたはアセットを表現する画像／グラフィックを一回以上クリックすることによって、ある種のアセット（例えば、壁紙、着信メロディ、アバター等）を、機器のデフォルトアセットに割り当てることができる。
【００２８】
ある実施例では、ユーザーがアセットパッケージ内の一部のアセットを他のアセットに置き換えることもできる。例えば、アセットパッケージが着信メロディ、ビデオ、ミュージックファイル等を含むとき、ユーザーはこれらのアセットを他のアセットに置き換えて、個人仕様のアセットパッケージを作成することができる。別の例では、ユーザーがアセットのセットに追加、補完、または編集（例えば、音楽ベースの着信メロディにユーザーの声をミキシングする）して、個人仕様にすることができる。
【００２９】
ある実施例では、アセットパッケージをファイルシステムインターフェースから選択することができる。例えば、ファイルシステムインターフェースは、アルバムのアートワークおよび／または簡単なアニメーションサムネイルに基づいて、ユーザーがアセットパッケージを簡単に選ぶことができるように、グラフィック要素付きテキストインターフェースを提供することができる。図４はファイルシステムインターフェース４００の例を説明するものである。
【００３０】
より詳しくは、ファイルシステムインターフェースは、ユーザーがメインデッキ４０２からアセットパッケージを簡単に選ぶことができるテキストインターフェースを可能にする。例えば、アルバムのアートワーク４０４および／または他の画像をこのインターフェースに含めることでアセットパッケージの視覚的プレビューを与えることができる。ユーザーがアセットパッケージを選択するとき、スクリーンは、図５に示されるようにアルバムカバーアート５０２またはアセットパッケージの視覚的プレビューを表示することができる。視覚的プレビューは静的または動的とすることができ、例えば、アニメーションおよび／またはビデオを含むことができる。例えば、視覚的プレビューを、ビデオクリップ、オーディオクリップ、アニメーション、静止画のメニューオプション等（例えば、デジタルビデオディスク（DVD）のメインメニューで提示されるように）の組み合わせを提示することができる。そして、例えば図６に示されるように、アセットパッケージのメニュー６００を提示することができる。ご覧のように、このメニューは、ユーザーにアセットパッケージの様々な機能を実行するためのオプションを提供する。
【００３１】
ある実施例では、図７および図８に示されるように、アセットパッケージを選択し、および／またはアセットにアクセスするために、メディアプレーヤーインターフェース７００を追加として、または代わりとして、用いることができる。ある実施例では、このインターフェースを用いることにより、ユーザーは、タブ７０２，７０４，７０６を選択することにより、最近見たアセット、すべてのアセット、および／またはプレイリストを再生するために見ながら選択することができる。そして、ユーザーは、（例えば、メニューオプション７０９を選択したのち適切なメニュー（不図示）を選択し、または如何なる他の適切な機構を用いることによって）アーティスト、曲、またはアセットパッケージによって検索をすることもできる。例えば、ある実施例では、ユーザーは、アセットパッケージの他の部分をナビゲートしながら、アセットパッケージから音楽を聴くことができる（例えば、ユーザーは、音楽を中断すること無く、ニュースおよびツアー、および／または他のイベントの日にちを閲覧しながら音楽を聞くことができる）。例えば、再生ボタン７０８を選択することによってこれを実行することができる。
【００３２】
「ＥＰ’ｓ」タブ８０２を選択することによって、ユーザーはアクセスすることが可能なアセットパッケージのセットを見ることもできる。これらのアセットパッケージは如何なる適切な配置によっても提示することができる。例えば、図８に示されるように、各アセットパッケージは、アルバムの立体的回転トレーにおけるレコードアルバム８００のように見え、ユーザーはこれをスクロールして選択することができる。これらのアルバムは静的または動的であり得る。ユーザーは、アルバムを見て選択したのち、図６に先述されるように、アセットパッケージについてのメインメニューへ進むことができる。
【００３３】
ある実施例では、アセットパッケージを選択すると（例えば、アセットパッケージのメインメニューを表示する前に、または機器にアセットパッケージを最初にロードするとき）、アニメーションシークエンスが提示される。例えば、シークエンスは、図９に示されるスクリーンスナップショット９０２，９０４，９０６，９０８（左から右への順番で提示される）を含むことができる。より多くの中間画像またはビデオクリップがこのシークエンスの一部として提示されることは明らかである。このアニメーションシークエンスは、シークエンスに結び付けられたミュージックまたはアーティストの声を伴うことができる。
【００３４】
図６に示されるメインメニュー用のテンプレート１０００を図１０に示す。図示されるように、このメインメニューは一番上のアーティスト画像１００２とメニューオプションとを有し、当該メニューオプションは着信メロディ１００４、ビデオ着信１００６、壁紙１００８、フルトラックダウンロード１０１０、アーティストの人物紹介／歌詞１０１２、およびモバイルサインアップ／プロモーション１０１４を含む。機器のカーソルコントロールを用いてこれらのオプションの１つを選択することによって、対応するアセットまたは対応するサブメニューもしくはインターフェースをユーザーに提示することができる。このメニューは他のメニューにナビゲート（例えば、戻るおよび終了）するためのオプション１０１６、１０１８も含むことができる。
【００３５】
着信メロディのインターフェースのためのサンプルテンプレート１１００が図１１に示される。テンプレートから解るように、このインターフェースは、ユーザーが、アルバムカバー１１０２を見ること、歌のタイトル１１０４を見ること、ミュージッククリップ１１６を再生すること、他のクリップ１１０８へスキップすること、およびユーザーの機器１１１０に当該クリップをインストールすることを可能にする。このインターフェースは、着信メロディ（例えばミュージッククリップ）、音声電話のアラート用の着信音の他形式、ＳＭＳメッセンジャーのアラート、電子メールのアラート、留守番電話のアラート、目覚まし時計のアラート、および／または如何なる他の適切なポータブル機器のアラートをユーザーが購入することを可能にすることができる。特定のアセットパッケージにテンプレート１１００を適用したものが１１１２として図示されている。
【００３６】
壁紙のインターフェース用のサンプルテンプレート１２００が図１２に示されている。当該テンプレートから解るように、このインターフェースは、ユーザーが、壁紙のサムネイル１２０２を見ること、壁紙１２０４のスライドショーを見ること、他の壁紙１２０６にスキップすること、そしてユーザーの機器１２０８に壁紙をインストールすることを可能にする。このインターフェースは、ユーザーが、機器の壁紙またはスクリーンセーバーとして当該壁紙を設定すること可能にし、または購入のために利用可能な他の壁紙／モバイルアルバムを見せることを可能にする。特定の壁紙にテンプレート１２００を適用したものが１２１２として図示されている。
【００３７】
ビデオ着信のインターフェース用のサンプルテンプレート１３００が図１３に示されている。当該テンプレートから解るように、このインターフェースは、ユーザーが、ビデオ着信のビデオサムネイル１３０２を見ること、ビデオ着信１２０４を再生すること、ビデオ着信１３０６をインストールすることを可能にする。このインターフェースは、ユーザーが、機器のスクリーンセーバーとして当該ビデオ着信を設定すること、またはワールドワイドウェブ上の、著作権者の認証要求を満たした公認かつ許可された共有プラットホーム（例えば、www.imeem.comまたはwww.youtube.com）にビデオを投稿することを可能にすること、または購入のために利用可能な他のビデオ着信を見せることを可能にする。特定の着信ビデオにテンプレートを適用したものが１３０８として図示されている。
【００３８】
人物紹介／歌詞のインターフェース１４００用のサンプルテンプレートが図１４に示されている。当該テンプレートから解るように、このインターフェースは、ユーザーが、歌詞１４０２を見ること、さらなる歌詞１４０４、１４０６にスキップすること、およびアーティストの人物紹介１４０８を見ることを可能にする。
【００３９】
モバイルサインアップ／プロモーションのインターフェース１５００のためのサンプルテンプレートが図１５に示されている。当該テンプレートから解るように、このインターフェースは、ユーザーが、アーティスト画像を見ること１５０２、コンサートチケットを注文すること１５０４、クーポンを取得すること１５０６、同じアーティストによるより多くのアルバムを見ること１５０８、コンテストに出場すること１５１０、（例えば、現在のアーティストのスタイル、および／または、ユーザーによって選択された他のアーティストのスタイルに基づいて）ユーザーが好むかもしれない他のアーティストについて知る１５１２、および（後に詳説する）モバイルサインアップを実行すること１５１４を可能にする。このインターフェースは、他のアルバムを購入すること、またはユーザーが他のユーザーが興味を持つかもしれない他のアーティストの推薦をすることを可能にする。
【００４０】
図１０のテンプレートには示されていないが、メインメニューは舞台裏クリップを見るためのオプションも含んでいる。舞台裏クリップのインターフェースのためのサンプルテンプレート１６００が図１６に示されている。当該テンプレートから解るように、このインターフェースは、舞台裏クリップを見ること１６０２、舞台裏クリップに対応する曲名を見ること１６０４、他のクリップへスキップすること１６０６、舞台裏クリップ１３０８をインストールすることをユーザーが可能にすることができる。このインターフェースは、例えばメイキングビデオまたは撮影場面等のようなビデオクリップの他の種類をユーザーが見ること、および／または、追加的コンテンツをユーザーが購入することを可能にする。
【００４１】
図１０のテンプレートには示されていないが、メインメニューは曲を再生するためのオプションも含んでいる。このためのテンプレート１６００が図１７に示されている。図から解るように、このインターフェースは、ユーザーが、アルバムアートを見ること１７０２、曲名を見ること１７０４、曲を再生すること１７０６、他の曲へスキップすること１７０８、機器へ曲をインストールすること１７１０を可能にする。このインターフェースは、ユーザーが他の曲（例えば、同じアルバム、同じアーティスト、同様のアーティスト等の他の曲）を購入することを可能にすることもできる。
【００４２】
図１５に関連して先述したように、ある実施例におけるインターフェースは、ユーザーがインターフェースはモバイルサインアップを実行することを可能にする。モバイルサインアップは、ユーザーがアセットパッケージと関連する追加コンテンツに会員登録するときに行われる。例えば、ユーザーがモバイルサインアップを実行するとき、ニュース、コンテンツ、アーティスト最新情報、コミュニティー交流（例えば、他の登録会員の掲示板、ブロードキャストＳＭＳメッセージ、ブログ等）、アーティストビデオ会議、および会員登録に更新された如何なる他の適切なコンテンツをユーザーは自動的に受信することができる。
【００４３】
ある実施例では、ユーザーは、新しい、および／または代わりの、アセット受信することもできる。例えば、ユーザーは新しいオーディオアセット（例えば、オーディオクリップ）、新しいビデオアセット（例えば、ビデオクリップ）、または、最新ニュース、最新ツアー、および／または、他のイベントの日付等の他の新しいアセットを受信することができる。これらアセットは、アセットパッケージの一部である他のアセットに統合した様式で提示され得る。これらアセットは、ユーザーがアセットパッケージを起動する時に新しいアセットが提示されるように最新のものに更新することができる。
【００４４】
ある実施例では、モバイルラインアップを実行するとき、ユーザーはある情報を提供すること、および／または会員登録料金を払うことを要求され得る。例えば、この情報は、ユーザーネーム、住所、電話番号、電子メールアドレス、誕生日、および／または、如何なる他の適切な個人情報を含むこともできる。そしてこの情報は、ユーザーおよびユーザー層の他の人々へのよりよいマーケッティングに利用することができる。別の例では、この情報は、ユーザーが認証済みアセットパッケージを持っているかを判定するための適切な情報を含むこともあり得る。
【００４５】
ある実施例では、ユーザーは、最新のアセットのある形式を選択することができる。例えば、ユーザーは、所望アーティストについて配信されると共に自動的に更新される、ＳＭＳメッセージ、電子メール、留守番電話メッセージ、および如何なる他の適切なコンテンツを受信することを選択することができる。
【００４６】
ある実施例では、アセットパッケージに関連して提供されたアセット、コンテンツ等を、適切な技術を用いて保護することができる。例えば、ある実施例では、例えば暗号化等のデジタル著作権管理（ＤＲＭ）技術を用いてアセットを保護することができる。別の例として、ある実施例では、あるアセットに透かしを適用することができる。透かしは、ユーザーにとって目に付くものであり、または可読性を悪くするものであり得る。
【００４７】
アセットパッケージ内のアセットを保護することによって、モバイルサインアップに認証されないコピーまたはモバイルサインアップへのアクセスは、阻止され、最小化され、または思いとどまらせる。例えば、アセットパッケージにＤＲＭを適用することにより、ユーザーが、多数の機器またはユーザー間でアセットパッケージを共有することから妨げることができる。
【００４８】
別の例として、アセットパッケージ内の透かしをモバイルサインアップのアクセスコントロールに用いることができる。その結果、ユーザーが保護されていないアセットパッケージを共有することを思いとどまらせることに利用することができる。より詳しくは、モバイルサインアップにサインアップするときに透かしからの固有識別番号を要求し、そしてユーザーの手入力によってあるいは自動的にアセットパッケージから取り出すことができる。ある実施例では、アセットパッケージが認証されたものであることを確認するのに透かしまたはその中の識別番号を用いることができないとき、モバイルサインアップにサインアップしようとするユーザーに料金を払うことを要求する、または完全にサインアップするのを防止することができる。
【００４９】
ある実施例では、各識別番号が１つのモバイルサインアップにのみ有効であるとすることができる。つまり、アセットパッケージの第１のユーザーが第２のユーザーとアセットパッケージを共有した場合、第１のユーザーがサインアップするよりも前に、第２のユーザーが当該アセットパッケージに対してサインアップし、その結果、第１のユーザーが識別番号を使用してサインアップするのを妨げるかもしれないというリスクを抱える。
【００５０】
ある実施例に関連してアセットパッケージを提供するためのシステムアーキテクチャの例が図１８に示されている。
【００５１】
図示されているように、システム１８００は、接続１８０６を経由してポータブル機器１８０４に結合されたサーバーを含んでいる。サーバー１８０２は、ポータブル機器にアセットパッケージを提供するのに適切な如何なるサーバー、コンピュータ、データ処理装置等とし得る。ポータブル機器１８０４は、先述したようにアセットパッケージを提示するのに適切な如何なる機器とすることができる。接続１８０６は、サーバー１８０２とポータブル機器１８０４とを結合するのに適切な如何なる接続とすることができ、有線接続、無線接続、またはその組み合わせとすることができる。さらに、例えばインターネット、ローカルエリアネットワーク、広域ネットワーク、ワイヤレスネットワーク、電話網、ケーブルネットワーク、衛星ネットワーク等の適切な通信ネットワークを含むとし得る。サーバー１８０２は、例えばワイヤレスアプリケーションプロトコル（ＷＡＦ）、ＴＣＰ／ＩＰ等の適切な如何なるプロトコルを用いてもポータブル機器１８０４と通信することができる。
【００５２】
ある実施例では、サーバー１８０２は、コンテンツデータベース１８０８にアセットを保管することができる。データベース１８０８は、アセットを保管するのに適切な如何なる装置とすることができ、例えばデータベース、ディスクドライブ、メモリー内のデータ構造等とすることができる。データベース１８０８はサーバー１８０２の一部とするか、あるいは接続しているとすることができる。
【００５３】
ある実施例では、ポータブル機器１８０４はコンピュータ１８１０に結合することができる。コンピュータは、例えばデスクトップコンピュータ、ラップトップコンピュータ、タブレットコンピュータ、ペン型コンピュータなどのパーソナルコンピュータ、携帯情報端末（ＰＤＡ）、セットトップボックス、ゲーム機、デジタルビデオレコーダー、メディアセンターコンピュータ、ホームオートメーションコンピュータ、電化製品コンピュータ等を含む、適切な如何なる計算装置とすることができる。ある実施例では、サーバー１８０２は、接続１８１２を経由してコンピュータ１８１０に結合されている。接続１８１２は、如何なる適切な接続、および接続１８０６と同様とすることができる。
【００５４】
サーバー１８０２、ポータブル機器１８０４、およびコンピュータ１８１０の各々は、１つ以上の処理装置と１つ以上のインターフェースを備えることができる。各々の処理装置は、マイクロプロセッサ、デジタル信号処理装置（ＤＳＰ）、コントローラー等を含む適切な如何なる処理装置とすることができ、サーバー１８０２、ポータブル機器１８０４、およびコンピュータ１８１０の間で同じものあるいは異なるものとすることができる。各々のインターフェースは、適切な如何なるインターフェースとすることができ、適切な如何なるプロトコルを用いることができる。インターフェースは、サーバー１８０２、ポータブル機器１８０４、およびコンピュータ１８１０によって用いられる接続の種類に対応させることができる。例えば、接続１８０６がワイヤレス接続であるとき、各サーバー１８０２およびポータブル機器１８０４は、ワイヤレスインターフェースを備えることができる。
【００５５】
コンテンツ、アセット、アセットパッケージ、および／または、アセット定義の１つ以上のピースをポータブル機器からコンピュータへ転送（例えば、移動またはコピー）する、および、コンテンツ、アセット、アセットパッケージ、および／または、アセット定義の１つ以上の要素をコンピュータからポータブル機器へ転送することを含む様々な理由で、ポータブル機器１８０４をコンピュータ１８１０に結合することができる。例えば、ユーザーはポータブル機器からコンピュータにアセット定義を転送して、アセットパッケージの１つ以上の部分をコンピュータ上に保管したいことがある。これは、ユーザーがアセットパッケージを最終的に別のポータブル機器に転送したいからという場合であり得る。これは、ユーザーがコンピュータ上のアセットパッケージにアクセスしたいからという場合（例えば、アセットパッケージを見るか修正するため）でもあり得る。
【００５６】
コンピュータ上のアセットパッケージにアクセスするとき、アセットパッケージは、図６および図９から図１７に関連して説明したのと同様の様式で現れることができる。あるいは、アセットパッケージは、図６および図９から図１７に関連して説明したのと異なる様式で現れることもできる。これは、パッケージを転送したポータブル機器と異なる提示能力をコンピュータが有するからという場合であり得る。例えばこのような場合、アセットパッケージをコンピュータ上での提示用に修正することができる。ある実施例では、これは、ポータブル機器上で提示されるアセットとは異なる１つ以上の機器クラスに対応するアセットを読み込むことによって実施することができる。コンピュータ上で提示されるパッケージのためのこのような様々なアセットは、ポータブル機器上の同じパッケージのためのアセットと同一または異なるコンテンツを含むことができる。これらアセットを、ポータブル機器からコンピュータへ転送することができ、または、サーバーまたはデータベースからコンピュータによって取得することができる。何のアセットがどのようにコンピュータ上に提示されるのかを、アセット定義によって制御することができる。ある実施例では、アセット定義に、コンピュータが実行できる命令を含ませることができる。ある実施例では、アセット定義にアクセスすることなしに、コンピュータがアセットにアクセスすることができる。
【００５７】
別の例では、アセットパッケージへのアクセスがコンピュータ経由で利用可能であるという理由で、コンピュータからポータブル機器にコンテンツを転送することをユーザーが望むことがある。接続１８０６が利用不可能または実用するには遅すぎるときがこの場合となり得る。コンピュータとポータブル機器との両方用のアセットパッケージをユーザーが取得しているが、初めにコンピュータに提供されているときも、この場合となり得る。
【００５８】
本発明は、上記詳細な説明または図面中に例示した構成および配置の詳細に限定されるものではないことを理解されたい。本発明は、他の実施例が可能であり、そして様々な方法で実行することができる。また、本明細書で使用した表現および用語は、説明目的のものであり、本発明を限定するものではないと理解されたい。
【００５９】
本発明を、以上の具体例において説明してきたが、本開示は例証としてなされたものであり、本発明の範囲から逸脱する事なく、本発明の実施の詳細には多くの変更を加え得ることを理解されたい。本発明の範囲は請求項によってのみ限定されることを理解されたい。
【図１Ａ】
2010526370.tif 000003
【図１Ｂ】
2010526370.tif 000004
【図２】
2010526370.tif 000005
【図３Ａ】
2010526370.tif 000006
【図３Ｂ】
2010526370.tif 000007
【図４】
2010526370.tif 000008
【図５】
2010526370.tif 000009
【図６】
2010526370.tif 000010
【図７】
2010526370.tif 000011
【図８】
2010526370.tif 000012
【図９】
2010526370.tif 000013
【図１０】
2010526370.tif 000014
【図１１】
2010526370.tif 000015
【図１２】
2010526370.tif 000016
【図１３】
2010526370.tif 000017
【図１４】
2010526370.tif 000018
【図１５】
2010526370.tif 000019
【図１６】
2010526370.tif 000020
【図１７】
2010526370.tif 000021
【図１８】
2010526370.tif 000022
【手続補正書】
【提出日】平成22年1月4日(2010.1.4)
【手続補正１】
【補正対象書類名】特許請求の範囲
【補正対象項目名】全文
【補正方法】変更
【補正の内容】
【特許請求の範囲】
【請求項１】
ポータブル機器上でアセットパッケージを提示する方法であって、
前記ポータブル機器を識別するための情報を提供するステップと、
各々が前記ポータブル機器上での動作用に選択され、且つ、エンターテイメントの主題に対応する複数のアセットと、前記複数のアセットにアクセスするのに用いることのできるメニュー構造とを受信するステップと、
ユーザーによる前記メニュー構造に対するインタラクションに応答して、前記複数のアセットのうち少なくとも１つを提示するステップと、
前記メニュー構造におけるアセットに対応しない少なくとも１つの新しいアセットと、前記メニュー構造におけるアセットに対応しない少なくとも１つの代用アセットとを受信することのリクエストを前記ユーザーから受信するステップと、
前記少なくとも１つの新しいアセットおよび前記少なくとも１つの代用アセットを受信するステップと、
前記少なくとも１つの新しいアセットを前記ユーザーに提示するステップと、
前記少なくとも１つの代用アセットを前記ユーザーに提示するステップとを有する方法。
【請求項２】
前記複数のアセット、前記少なくとも１つの新しいアセット、および前記少なくとも１つの代用アセットのうち少なくとも１つをコンピュータに転送し、前記少なくとも１つの新しいアセット、および前記少なくとも１つの代用アセットのうち少なくとも１つを、前記コンピュータを用いて前記ユーザーに提示するステップをさらに備える、請求項１に記載の方法。
【請求項３】
前記コンピュータはパーソナルコンピュータである、請求項２に記載の方法。
【請求項４】
前記コンピュータはゲーム機である、請求項２に記載の方法。
【請求項５】
第２の新しいアセットをサーバーおよびデータベースの少なくとも１つから前記コンピュータで受信するステップをさらに備える、請求項２に記載の方法。
【請求項６】
前記第２の新しいアセットは、前記ポータブル機器上で提示不可能であり、前記少なくとも１つの新しいアセット、および前記少なくとも１つの代用アセットのうち少なくとも１つの代用品である、請求項５に記載の方法。
【請求項７】
前記第２の新しいアセットは、着信メロディ、着信ビデオ、壁紙、楽曲、アーティスト人物紹介、歌詞、画像、クーポン券、アルバムリスト、他のアーティストのリスト、およびビデオのうち１つである、請求項５に記載の方法。
【請求項８】
前記少なくとも１つの新しいアセットは、着信メロディ、着信ビデオ、壁紙、楽曲、アーティスト人物紹介、歌詞、画像、クーポン券、アルバムリスト、他のアーティストのリスト、およびビデオのうち１つである、請求項１に記載の方法。
【請求項９】
前記ユーザーが、アセットを追加するためにサインアップすること、コンサートチケットを購入すること、または、コンテストに出場申込をすることを可能にするインターフェースを提供するステップをさらに有する、請求項１に記載の方法。
【請求項１０】
前記ユーザーから情報を受信し、前記情報に基づいて、該ユーザーが、前記少なくとも１つの新しいアセット、および前記少なくとも１つの代用アセット、のうち少なくとも１つにアクセスする認証を受けているか否かを判定するステップをさらに有する、請求項１に記載の方法。
【請求項１１】
アセットパッケージを提示するためのシステムであって、
インターフェースと該インターフェースに結合した処理装置とを有するポータブル機器を備え、
前記ポータブル機器は、
前記ポータブル機器を識別するための情報を提供し、
各々が前記ポータブル機器上での動作用に選択され、且つ、エンターテイメントの主題に対応する複数のアセットと、前記複数のアセットにアクセスするのに用いるメニュー構造とを受信し、
ユーザーによる前記メニュー構造に対するインタラクションに応答して、前記複数のアセットのうち少なくとも１つを提示し、
前記メニュー構造におけるアセットに対応しない少なくとも１つの新しいアセットと、前記メニュー構造におけるアセットに対応しない少なくとも１つの代用アセットとを受信することのリクエストを前記ユーザーから受信し、
前記少なくとも１つの新しいアセットおよび前記少なくとも１つの代用アセットを受信し、
前記少なくとも１つの新しいアセットを前記ユーザーに提示し、
前記少なくとも１つの代用アセットを前記ユーザーに提示するシステム。
【請求項１２】
前記ポータブル機器が、さらに、前記複数のアセット、前記少なくとも１つの新しいアセット、および前記少なくとも１つの代用アセットのうち少なくとも１つを前記ユーザーに提示するコンピュータに、前記複数のアセット、前記少なくとも１つの新しいアセット、および前記少なくとも１つの代用アセットのうち少なくとも１つを転送する、請求項１１に記載のシステム。
【請求項１３】
前記コンピュータはパーソナルコンピュータである、請求項１２に記載のシステム。
【請求項１４】
前記コンピュータはゲーム機である、請求項１２に記載のシステム。
【請求項１５】
前記コンピュータが、さらに、サーバーおよびデータベースの少なくとも１つから第２の新しいアセットを受信する、請求項１２に記載のシステム。
【請求項１６】
前記第２の新しいアセットは、前記ポータブル機器上で提示不可能であり、前記少なくとも１つの新しいアセット、および前記少なくとも１つの代用アセットのうち少なくとも１つの代用品である、請求項１５に記載のシステム。
【請求項１７】
前記第２の新しいアセットは、着信メロディ、着信ビデオ、壁紙、楽曲、アーティスト人物紹介、歌詞、画像、クーポン券、アルバムリスト、他のアーティストのリスト、およびビデオのうち１つである、請求項１５に記載のシステム。
【請求項１８】
前記少なくとも１つの新しいアセットは、着信メロディ、着信ビデオ、壁紙、楽曲、アーティスト人物紹介、歌詞、画像、クーポン券、アルバムリスト、他のアーティストのリスト、およびビデオのうち１つである、請求項１１に記載のシステム。
【請求項１９】
さらに前記ポータブル機器は、前記ユーザーが、アセットを追加するためにサインアップすること、コンサートチケットを購入すること、または、コンテストに出場申込をすることを可能にするインターフェースを提供する、請求項１１に記載のシステム。
【請求項２０】
さらに前記ポータブル機器は、前記ユーザーから情報を受信し、前記情報に基づいて、該ユーザーが、前記少なくとも１つの新しいアセット、および前記少なくとも１つの代用アセットのうち少なくとも１つにアクセスする認証を受けているか否かを判定する、請求項１１に記載のシステム。
【国際調査報告】
2010526370.tif 000023